(57)【要約】【課題】暗い場所での鏡の使用が容易なバックライト付き鏡を提供する。【解決手段】バックライト付き鏡１は、芯部２と、鏡部５と、電源部６とを備えている。鏡部５は、光を透過可能な反射膜３と、反射膜３の背面側に設けられたＥＬバックライト４とを有する。鏡部５は、芯部２に一端部が固着され、巻き取り可能にフレキシブル性を有する。電源部６は、芯部２に設けられ、ＥＬバックライト４に電力を供給する。【選択図】図２
2010243587.tif 000002
【特許請求の範囲】
【請求項１】
芯部と、
光を透過可能な反射膜、及び、前記反射膜の背面側に設けられたＥＬバックライトを有し、前記芯部に一端部が固着されたフレキシブル性を有する鏡部と、
前記芯部に設けられ、前記ＥＬバックライトに電力を供給するための電源部とを備えていることを特徴とするバックライト付き鏡。
【請求項２】
電源部は、オン・オフ切り替え可能なスイッチを備えていることを特徴とする請求項１に記載のバックライト付き鏡。
【請求項３】
前記芯部の外周部に配置され、前記電源部と接続された一対の第１電極と、
前記一対の第１電極と電気的に接続可能な位置であって、前記ＥＬバックライトの背面に配置され、前記ＥＬバックライトに接続された一対の第２電極とを備えていることを特徴とする請求項１または請求項２に記載のバックライト付き鏡。
【請求項４】
前記芯部及び前記鏡部を収容可能な枠部材と、
前記枠部材の外周部に配置され、前記電源部と接続された一対の第３電極と、
前記一対の第４電極と電気的に接続可能な位置であって、前記ＥＬバックライトの一方の面に配置され、前記ＥＬバックライトに接続された一対の第４電極とを備えていることを特徴とする請求項１または請求項２に記載のバックライト付き鏡。
【請求項５】
前記芯部は、前記鏡部を自動で巻取可能な自動巻取機構を備えていることを特徴とする請求項１〜請求項４のいずれか１項に記載のバックライト付き鏡。
【請求項６】
前記芯部は、
内芯部と、
前記内芯部の外側に間隔を空けて且つ囲むように配置され、前記内芯部に対して回転方向に相対移動可能な外壁部と、
前記内芯部と前記外壁部との間に設けられ、一端が前記内芯部に固定され、他端部が前記外壁部に固定された弾性部材であって、前記内芯部と前記外壁部とのいずれかに回転方向の弾性力を作用させる前記弾性部材とを備えていることを特徴とする請求項１〜請求項５のいずれか１項に記載のバックライト付き鏡。
【請求項７】
前記内芯部と前記外壁部との回転方向の相対位置を固定するストッパー機構を備えていることを特徴とする請求項６に記載のバックライト付き鏡。
【請求項８】
前記ストッパー機構は、
前記内芯部の外周に立設された第１凸部と、
前記外壁部の内周に立設され、前記第１凸部と接触可能な第２凸部とを備えていることを特徴とする請求項７に記載のバックライト付き鏡。
【請求項９】
前記第１凸部または前記第２凸部のいずれかは、回転方向に複数設けられていることを特徴とする請求項８に記載のバックライト付き鏡。
【請求項１０】
前記芯部の内側の一端部には、前記電源部を収容する第１収容部が形成され、
前記芯部の内側の他端部には、前記第１収容部と仕切られ、開閉可能な第２収容部が形成されていることを特徴とする請求項１〜請求項９のいずれか１項に記載のバックライト付き鏡。
【請求項１１】
前記ＥＬバックライトは、
一対の電極と、前記一対の電極の間に形成された発光層とを備え、
前記一対の電極、または、前記発光層のいずれかが発光領域内でパターニングされていることを特徴とする請求項１〜請求項１０のいずれか１項に記載のバックライト付き鏡。
【発明の詳細な説明】
【技術分野】
【０００１】
本発明は、フレキシブル性を有するバックライト付き鏡に関する。
【背景技術】
【０００２】
現在、フレキシブル性を有する様々な鏡が知られている。
【０００３】
特許文献１には、巻き取り可能な鏡を備えた携帯電話が開示されている。特許文献１の携帯電話は、液晶画面と、液晶画面の全面を覆うように設けられた巻き取り可能な鏡と、鏡を巻き取るためのローラとを備えている。
【０００４】
この携帯電話では、液晶画面に画像を表示させる際には、ローラによって鏡が上部に巻き取られる。これにより、ユーザーは、液晶画面の画像を鏡に遮られることなく見ることができる。また、ユーザーは、液晶画面に画像を表示しない時は、液晶画面の前に鏡を広げて、鏡を使用することができる。
【先行技術文献】
【特許文献】
【０００５】
【特許文献１】特開２００４−２４７７７９号公報
【発明の概要】
【発明が解決しようとする課題】
【０００６】
しかしながら、上述した特許文献１の技術では、暗い場所での鏡の使用が困難であるといった課題がある。
【０００７】
本発明は、上述した課題を解決するために創案されたものであり、暗い場所での鏡の使用が容易なバックライト付き鏡を提供することを目的としている。
【課題を解決するための手段】
【０００８】
請求項１の発明は、芯部と、光を透過可能な反射膜、及び、前記反射膜の背面側に設けられたＥＬバックライトを有し、前記芯部に一端部が固着されたフレキシブル性を有する鏡部と、前記芯部に設けられ、前記ＥＬバックライトに電力を供給するための電源部とを備えていることを特徴とするものである。
【０００９】
請求項２の発明は、電源部は、オン・オフ切り替え可能なスイッチを備えていることを特徴とするものである。
【００１０】
請求項３の発明は、前記芯部の外周部に配置され、前記電源部と接続された一対の第１電極と、前記一対の第１電極と電気的に接続可能な位置であって、前記ＥＬバックライトの背面に配置され、前記ＥＬバックライトに接続された一対の第２電極とを備えていることを特徴とするものである。
【００１１】
請求項４の発明は、前記芯部及び前記鏡部を収容可能な枠部材と、前記枠部材の外周部に配置され、前記電源部と接続された一対の第３電極と、前記一対の第４電極と電気的に接続可能な位置であって、前記ＥＬバックライトの一方の面に配置され、前記ＥＬバックライトに接続された一対の第４電極とを備えていることを特徴とするものである。
【００１２】
請求項５の発明は、前記芯部は、前記鏡部を自動で巻取可能な自動巻取機構を備えていることを特徴とするものである。
【００１３】
請求項６の発明は、前記芯部は、内芯部と、前記内芯部の外側に間隔を空けて且つ囲むように配置され、前記内芯部に対して回転方向に相対移動可能な外壁部と、前記内芯部と前記外壁部との間に設けられ、一端が前記内芯部に固定され、他端部が前記外壁部に固定された弾性部材であって、前記内芯部と前記外壁部とのいずれかに回転方向の弾性力を作用させる前記弾性部材とを備えていることを特徴とするものである。
【００１４】
請求項７の発明は、前記内芯部と前記外壁部との回転方向の相対位置を固定するストッパー機構を備えていることを特徴とするものである。
【００１５】
請求項８の発明は、前記ストッパー機構は、前記内芯部の外周に立設された第１凸部と、前記外壁部の内周に立設され、前記第１凸部と接触可能な第２凸部とを備えていることを特徴とするものである。
【００１６】
請求項９の発明は、前記第１凸部または前記第２凸部のいずれかは、回転方向に複数設けられていることを特徴とするものである。
【００１７】
請求項１０の発明は、前記芯部の内側の一端部には、前記電源部を収容する第１収容部が形成され、前記芯部の内側の他端部には、前記第１収容部と仕切られ、開閉可能な第２収容部が形成されていることを特徴とするものである。
【００１８】
請求項１１の発明は、前記ＥＬバックライトは、一対の電極と、前記一対の電極の間に形成された発光層とを備え、前記一対の電極、または、前記発光層のいずれかが発光領域内でパターニングされていることを特徴とするものである。
【発明の効果】
【００１９】
本発明によれば、光を透過可能な反射膜の背面側にバックライトを設けることによって、暗い場所でも容易に鏡として使用することができる。
【図面の簡単な説明】
【００２０】
【図１】第１実施形態によるバックライト付き鏡の巻き取り状態での全体斜視図である。
【図２】第１実施形態によるバックライト付き鏡の使用時の全体斜視図である。
【図３】図２におけるＩＩＩ−ＩＩＩ線に沿った縦断面図である。
【図４】図２におけるＩＶ−ＩＶ線に沿った断面図である。
【図５】第２実施形態によるバックライト付き鏡の背面図である。
【図６】第３実施形態によるバックライト付き鏡の全体斜視図である。
【図７】芯部の縦断面図である。
【図８】ストッパー機構近傍の芯部の正面図である。
【図９】図８におけるＩＸ−ＩＸ線に沿った断面図である。
【図１０】ストッパー機構による位置決めを説明する芯部の正面図である。
【図１１】図１０におけるＸＩ−ＸＩ線に沿った断面図である。
【図１２】第４実施形態によるバックライト付き鏡の全体斜視図（収容時）である。
【図１３】第４実施形態によるバックライト付き鏡の全体斜視図（使用時）である。
【発明を実施するための形態】
【００２１】
（第１実施形態）
以下、図面を参照して、本発明による第１実施形態について説明する。図１は、第１実施形態によるバックライト付き鏡の巻き取り状態での全体斜視図である。図２は、第１実施形態によるバックライト付き鏡の使用時の全体斜視図である。図３は、図２におけるＩＩＩ−ＩＩＩ線に沿った縦断面図である。図４は、図２におけるＩＶ−ＩＶ線に沿った断面図である。
【００２２】
以下の説明において、図１の矢印で示すＸＹＺをＸＹＺ方向とする。また、−Ｙ方向を表面側、＋Ｙ方向を背面側とする。＋Ｚ方向を上方向とし、−Ｚ方向を下方向とする。尚、これらの方向は、一例であり、使用時には、適宜変更可能である。
【００２３】
図１〜図４に示すように、第１実施形態によるバックライト付き鏡１は、芯部２と、反射膜３及びＥＬバックライト４を有する鏡部５と、電源部６と、把持部７とを備えている。
【００２４】
芯部２は、鏡部５を巻き取り可能に保持するためのものである。芯部２は、合成樹脂からなる。芯部２は、円筒形状に形成されている。芯部２の内部には、空洞が形成されている。図３に示すように、芯部２の内部には、空洞を仕切るための仕切り壁１２が形成されている。これにより、芯部２の上部には、上部収納部１３が形成される。また、芯部２の下部には、電源部６を収納するための下部収納部１４が形成される。上部収納部１３の上端には、開閉可能な蓋部材１５が設けられている。上部収納部１３には、蓋部材１５を開閉することによって、アメニティ用品やコンタクトレンズ用品等の小物を収容することができる。尚、下部収納部１４が、請求項に記載の第１収容部に相当し、上部収納部１３が、請求項に記載の第２収容部に相当する。
【００２５】
鏡部５は、フレキシブル性を有する。これにより、鏡部５は、図１に示すように、芯部２の周りに巻いて収納することもでき、図２に示すように、広げて使用することもできる。また、鏡部５は、広げることによって、長方形の平面状になるように構成されている。鏡部５の−Ｘ方向の端部は、芯部２の外周に固着されている。鏡部５は、基材２１の表面に設けられた反射膜３と、基材２１の背面に設けられたＥＬバックライト４とを備えている。
【００２６】
基材２１は、フレキシブル性を有するＰＥＴ樹脂からなる。ここで、基材２１を構成する材料は、特に限定されるものではないが、軽量で外部からの圧力に耐えられ、形態安定性の高い材料を適用することが好ましい。
【００２７】
反射膜３は、背面（＋Ｙ側の面）からの光の一部を透過可能なハーフミラーに構成されている。図４に示すように、反射膜３は、基材２１の表面（−Ｙ方向側の面）に蒸着されたＡｌ膜またはＡｇ膜からなる。
【００２８】
ＥＬバックライト４は、基材２１の背面（＋Ｙ方向側の面）に一体的に設けられている。ＥＬバックライト４は、反射膜３と略同じ面積及び同じ形状に構成されている。ＥＬバックライト４は、フレキシブル性を有する。これにより、ＥＬバックライト４は、反射膜３と一緒に芯部２の周りに巻き取ることができる。
【００２９】
図４に示すように、ＥＬバックライト４は、透明電極２２と、発光層２３と、誘電体層２４と、背面電極２５と、保護層２６とを備えている。
【００３０】
透明電極２２は、基材２１の略全面に形成されたＩＴＯ（インジウム・スズ酸化物）からなる。透明電極２２は、発光層２３で発光された光を透過可能に構成されている。
【００３１】
発光層２３は、ＥＬ発光させるためのものである。発光層２３は、透明電極２２の背面に形成されている。発光層２３は、ＺｎＳ系の蛍光体粉をフッ素系ゴムの樹脂に分散させた材料からなる。発光層２３の蛍光体として、ＺｎＳ系の蛍光体粉以外の無機ＥＬ材料を採用してもよい。発光層２３は、約２５μｍの厚みを有する。尚、発光層２３は、所望の模様が浮かび上がるようにパターニングしてもよい。例えば、図２に示すように、発光領域内で、文字「ＡＢＣ」の形状で発光層２３が形成されない領域ができるようにパターニングしてもよい。これにより、発光させた際に、「ＡＢＣ」と発光しない模様３７を形成することができる。
【００３２】
誘電体層２４は、発光層２３と背面電極２５とを絶縁するためのものである。誘電体層２４は、発光層２３の背面に形成されている。誘電体層２４は、チタン酸バリウム粉をフッ素ゴム系樹脂に分散させた材料からなる。誘電体層２４は、約２０μｍの厚みを有する。
【００３３】
背面電極２５は、誘電体層２４の背面に形成されている。背面電極２５は、カーボンをポリエステル系樹脂に分散させた材料からなる。背面電極２５は、約１０μｍの厚みを有する。
【００３４】
保護層２６は、背面電極２５を保護するためのものである。保護層２６は、背面電極２５の背面に形成されている。保護層２６は、ポリエステル系樹脂からなる。
【００３５】
電源部６は、ＥＬバックライト４に交流電力を供給するためのものである。電源部６は、芯部２の下部収納部１４に収納されている。電源部６は、回路部３１と、電池３２と、スイッチ３３とを有する。
【００３６】
回路部３１は、電池３２から供給される直流電力を交流電力に変換して、ＥＬバックライト４へと供給するためのものである。より具体的には、回路部３１は、電池３２から供給される直流電力を、２００Ｖ〜３００Ｖの電圧を有し、約１ＫＨｚの周波数を有する交流電力に変換する。回路部３１は、インバーター等を含み、ＥＬバックライト４の透明電極２２及び背面電極２５に接続されている。
【００３７】
電池３２は、回路部３１へと直流電力を供給するものである。電池３２は、特に限定されるものではないが、充電可能なものが好ましい。
【００３８】
スイッチ３３は、押圧操作によって、ＥＬバックライト４のオン・オフを切り替えるためのものである。スイッチ３３の下端部は、ユーザーが押圧操作できるように、芯部２の下端部から一部が突出している。
【００３９】
把持部７は、鏡部５を巻き取る際や広げる際にユーザーが把持するためのものである。把持部７は、鏡部５の他端部（＋Ｘ側端部）に固着されている。
【００４０】
次に、上記した第１実施形態によるバックライト付き鏡１の動作を説明する。
【００４１】
まず、不使用時には、図１に示すように、鏡部５が、芯部２の周りに巻かれている。この状態から、使用時には、ユーザーによって、鏡部５が芯部２の周りを矢印Ｒ２方向に回されることにより、図２に示すように広げられる。この状態で、ユーザーがスイッチ３３を押圧してオン状態になると、電池３２の直流電力が回路部３１によって交流電力に変換される。そして、交流電力は、ＥＬバックライト４へと供給される。
【００４２】
これにより、ＥＬバックライト４の透明電極２２と背面電極２５との間には、交流電界が形成される。この結果、発光層２３に交流電界が形成されて、蛍光体の電荷が励起される。励起された電荷によって、光が発光（ＥＬ発光）される（発光状態）。発光された光は、透明電極２２、基材２１、反射膜３を透過して外部へ照射される。この状態で、ユーザーは、反射膜３に写る自分の姿などを見て作業する。また、ユーザーは、必要に応じて、上部収納部１３からアメニティ用品等の小物を取り出して作業する。
【００４３】
この後、バックライト付き鏡１の使用を終えると、ユーザーは、スイッチ３３を再度押圧することによって、ＥＬバックライト４をオフにする（消光状態）。この後、ユーザーは、芯部２の周りで、矢印Ｒ１方向に鏡部５を巻いて収納する。
【００４４】
次に、バックライト付き鏡１の製造方法について説明する。
【００４５】
まず、スクリーン印刷法によって、基材２１の背面にＩＴＯインク等を用いて透明電極２２を形成する。
【００４６】
次に、スクリーン印刷法によって、ＺｎＳ系の蛍光体をポリエステル系樹脂に分散させたペーストを透明電極２２上に所望のパターンで印刷する。この後、ペーストを約１００℃〜約１４０℃で数分加熱することによって乾燥させて、発光層２３を形成する。
【００４７】
次に、スクリーン印刷法によって、発光層２３上にフッ素ゴム系樹脂にチタン酸バリウムを分散させたペーストを所望のパターンで印刷する。この後、ペーストを約１００℃〜約１４０℃で数分〜数十分加熱することによって乾燥させる。この工程を複数繰り返すことによって、多層構造の誘電体層２４を形成する。
【００４８】
次に、スクリーン印刷法によって、誘電体層２４上にカーボン系導電性フィラーをポリエステル系樹脂に分散させたペーストを所望のパターンで印刷する。この後、約１３０℃〜約１７０℃で１０分〜２０分加熱することによってペーストを乾燥させて、背面電極２５を形成する。
【００４９】
次に、ポリエステル系樹脂によって保護層２６を形成する。
【００５０】
次に、基材２１の表面に反射膜３を形成することによって、鏡部５が完成する。尚、２つの基材にＥＬバックライト４と反射膜３とを別々に形成して、これら２つの基材を接着して、鏡部５を作製してもよい。
【００５１】
次に、芯部２の下部収納部１４に電源部６を取り付ける。その後、芯部２の外周面に形成された接続部（図示略）と鏡部５の一端部に形成された接続部（図示略）とが接続されるように、芯部２の外周部に鏡部５の一端部を固着する。この後、芯部２の他端に把持部７を取り付ける。
【００５２】
これにより、第１実施形態によるバックライト付き鏡１が完成する。
【００５３】
上述したように第１実施形態によるバックライト付き鏡１は、鏡部５の反射膜３の背面側にＥＬバックライト４を設けるとともに、鏡部５の反射膜３をハーフミラーによって構成している。これにより、夜間や暗い場所でもＥＬバックライト４をオンにすることによって、容易に鏡部５に写った像を視認することができる。この結果、ユーザーが、化粧直しやコンタクトレンズの脱着等の作業を容易に行うことができる。更に、バックライト付き鏡１では、明るい場所においても、ユーザーが接近して使用する場合に、ユーザーの影の影響を抑制することができる。
【００５４】
また、バックライト付き鏡１は、鏡部５を芯部２の外周に巻取可能に構成しているので、収納時（不使用時）の小型化を実現しつつ、使用時の大画面化を実現することができる。
【００５５】
また、バックライト付き鏡１は、芯部２に上部収納部１３を形成しているので、小物を収納することができる。これにより、ユーザーの利便性を向上させることができる。
【００５６】
また、バックライト付き鏡１は、ＥＬバックライト４のオン・オフを切り替えるためのスイッチ３３を電源部６に設けている。これにより、不使用時の電池３２の消耗を抑制することができる。
【００５７】
また、バックライト付き鏡１は、所望の模様３７に対応させて発光層２３をパターニングしているので、デザイン性を向上させることができる。
【００５８】
（第２実施形態）
次に、上述した実施形態の一部を変更した第２実施形態によるバックライト付き鏡について説明する。図５は、第２実施形態によるバックライト付き鏡の背面図である。尚、上述した実施形態と同様の構成には、同じ符号を付けて説明を省略する。
【００５９】
図５に示すように第２実施形態によるバックライト付き鏡１Ａは、一対の電極４１、４２と、一対の電極４４、４５とを備えている。また、第１実施形態におけるスイッチ３３が省略されている。尚、電極４１、４２が、請求項に記載の第１電極に相当し、電極４４、４５が、請求項に記載の第２電極に相当する。
【００６０】
電極４１、４２は、芯部２の外周部に配置されている。電極４１、４２は、電源部６の回路部３１と電気的に接続されている。
【００６１】
電極４４、４５は、鏡部５のＥＬバックライト４の背面に設けられている。電極４４は、ＥＬバックライト４の透明電極２２と電気的に接続されている。電極４５は、ＥＬバックライト４の背面電極２５と電気的に接続されている。
【００６２】
ここで、電極４１と電極４２との間のＺ方向の距離と、電極４４と電極４５との間のＺ方向の距離は、略等しい。また、鏡部５が固着されている位置から電極４１、４２までの芯部２の周方向の距離と、鏡部５が固着されている位置から電極４４、４５までのＸ方向の距離は、略等しい。即ち、電極４１、４２は、電極４４、４５と電気的に接続可能な位置に配置されている。
【００６３】
次に、第２実施形態によるバックライト付き鏡１Ａの使用方法について説明する。
【００６４】
まず、ユーザーによって、鏡部５が芯部２に巻かれた状態から、鏡部５を芯部２の周りで矢印Ｒ２方向に回すと鏡部５が図５に示すように広がる。この状態から、更に、鏡部５を矢印Ｒ２方向に回すと、電極４１と電極４４とが接続されるとともに、電極４２と電極４５とが接続される。この結果、電源部６とＥＬバックライト４とが接続されて、オン状態になり発光する。
【００６５】
上述したように第２実施形態によるバックライト付き鏡１Ａは、鏡部５を広げた際に、芯部２の周りを、更に回すことによって、ＥＬバックライト４をオン状態にして発光することができる。これにより、操作性を向上させることができる。また、第１実施形態で採用した押圧式のスイッチを省略することができるので、バックライト付き鏡１Ａの構成をより簡略化することができる。
【００６６】
（第３実施形態）
次に、上述した実施形態の一部を変更した第３実施形態によるバックライト付き鏡について説明する。図６は、第３実施形態によるバックライト付き鏡の全体斜視図である。図７は、芯部の縦断面図である。図８は、ストッパー機構近傍の芯部の正面図である。図９は、図８におけるＩＸ−ＩＸ線に沿った断面図である。図１０は、ストッパー機構による位置決めを説明する芯部の正面図である。図１１は、図１０におけるＸＩ−ＸＩ線に沿った断面図である。尚、上述した実施形態と同様の構成には、同じ符号を付けて説明を省略する。
【００６７】
第３実施形態によるバックライト付き鏡１Ｂでは、芯部２Ｂが鏡部５を自動で巻取可能な自動巻取機構に構成されている。
【００６８】
図６及び図７に示すように、バックライト付き鏡１Ｂの芯部２Ｂは、内芯部５１と、円筒部５２と、巻取バネ５３と、ストッパー機構５４とを備えている。尚、円筒部５２が、請求項に記載の外壁部に相当する。
【００６９】
内芯部５１は、使用時に、ユーザーが保持するためのものである。内芯部５１の内部には、電源部６を収納するための空間（図示略）が形成されている。
【００７０】
円筒部５２は、内芯部５１の外側を囲むように配置される。円筒部５２は、内芯部５１に対して、回転方向に相対移動可能に構成されている。円筒部５２の内径は、内芯部５１の外径よりも大きい。これにより、円筒部５２の内壁と内芯部５１の外壁との間には、一定の間隔で空隙が形成される。円筒部５２には、鏡部５の一端部が固着される。また、収納時には、円筒部５２の外周に鏡部５が巻かれる。
【００７１】
巻取バネ５３は、内芯部５１の外周に嵌合される。また、巻取バネ５３は、円筒部５２の内側に設置される。即ち、巻取バネ５３は、内芯部５１と円筒部５２との間の空隙に設置される。巻取バネ５３の一端５３ａは、内芯部５１に固定される。巻取バネ５３の他端５３ｂは、円筒部５２に固定される。
【００７２】
巻取バネ５３は、図６に示す鏡部５が巻き取られている状態では、弾性力が作用しない状態である。一方、鏡部５が、広げられている状態では、巻取バネ５３は、内芯部５１と円筒部５２との間に鏡部５を巻き戻す方向（回転方向の一方）に弾性力を作用させる。即ち、内芯部５１に対して、円筒部５２が矢印Ｒ２方向に回る方向に巻取バネ５３の弾性力が作用する。
【００７３】
ストッパー機構５４は、内芯部５１と円筒部５２の回転方向の相対位置を固定するためのものである。図７〜図９に示すように、ストッパー機構５４は、一対の固定凸部５６と、６個の位置決め凸部５７とを有する。尚、固定凸部５６が、請求項に記載の第１凸部に相当し、位置決め凸部５７が、請求項に記載の第２凸部に相当する。
【００７４】
一対の固定凸部５６は、内芯部５１の外周に立設されている。一対の固定凸部５６は、Ｚ方向に所定の間隔を空けて設けられている。また、内芯部５１の周方向において、一対の固定凸部５６は、同じ位置に設けられている。
【００７５】
６個の位置決め凸部５７は、円筒部５２の内壁から中心に向かって突出するように設けられている。ここで位置決め凸部５７の径方向の高さと固定凸部５６の径方向の高さとの和は、内芯部５１の外壁と円筒部５２の内壁との間の間隔の長さよりも大きい。これにより、内芯部５１と円筒部５２との相対的に回転させることによって、位置決め凸部５７と固定凸部５６とを接触させることができる。６個の位置決め凸部５７は、周方向において、等間隔（６０°）で配置されている。６個の位置決め凸部５７は、Ｚ方向において、同じ位置に配置されている。位置決め凸部５７のＺ方向の長さは、一対の固定凸部５６の間の間隔よりも小さい。これにより、位置決め凸部５７を一対の固定凸部５６の間を通すことができる。
【００７６】
次に、第３実施形態によるバックライト付き鏡１Ｂの動作を説明する。
【００７７】
まず、図８及び図９に示すように、鏡部５が巻き取られ、巻取バネ５３に弾性力が作用していない状態では、６個の位置決め凸部５７のＺ方向の位置は、一対の固定凸部５６の間隔のＺ方向の位置と同じになるように配置されている。これにより、内芯部５１と円筒部５２は、ストッパー機構５４に妨げられることなく、互いに回転することができる。
【００７８】
一方、鏡部５を所望の長さ引き出して広げ、位置を固定する場合、円筒部５２を内芯部５１に対して下方へ相対移動させる。これにより、図１０及び図１１に示すように、巻取バネ５３に巻き取る方向に弾性力が内芯部５１及び円筒部５２に作用しても、いずれかの位置決め凸部５７と固定凸部５６とが当接して、内芯部５１と円筒部５２との回転方向の移動が規制される。これにより、鏡部５が巻き取られることなく、所望の長さで固定される。この後、鏡部５を巻き取る際には、一対の固定凸部５６の間に位置決め凸部５７が位置するように、円筒部５２を内芯部５１に対して上方へ相対移動させる。これにより、６個の位置決め凸部５７のＺ方向の位置は、一対の固定凸部５６の間隔のＺ方向の位置と同じになるように配置されて、内芯部５１と円筒部５２とが相対的に回転移動可能な状態になる。この結果、巻取バネ５３の弾性力によって、鏡部５が巻き取られる。
【００７９】
上述したように第３実施形態によるバックライト付き鏡１Ｂは、内芯部５１と円筒部５２とを相対的に回転させることができる巻取バネ５３を備えているので、広げた鏡部５を容易に巻き取ることができる。これにより、使用時の利便性を向上させることができる。
【００８０】
また、バックライト付き鏡１Ｂは、ストッパー機構５４を備えているので、鏡部５を所望の長さに固定することができる。また、ストッパー機構５４は、位置決め凸部５７を回転方向に複数設けているので、柔軟に位置決めすることができる。尚、固定凸部５６を回転方向に複数設けても同様の効果を奏することができる。
【００８１】
（第４実施形態）
次に、上述した実施形態の一部を変更した第４実施形態によるバックライト付き鏡について説明する。図１２は、第４実施形態によるバックライト付き鏡の全体斜視図（収容時）である。図１３は、第４実施形態によるバックライト付き鏡の全体斜視図（使用時）である。尚、上述した実施形態と同様の構成には、同じ符号を付けて説明を省略する。
【００８２】
第４実施形態によるバックライト付き鏡１Ｃは、枠部材８を備えている。
【００８３】
図１２及び図１３に示すように、枠部材８は、芯部２と鏡部５とを収容するためのものである。枠部材８は、円柱形状に形成されている。枠部材８の内部には、芯部２と鏡部５とを収容するための空間８ａが形成されている。枠部材８は、芯部２を回転可能に保持する。枠部材８には、空間８ａと外部とに繋がる引出穴８ｂが形成されている。引出穴８ｂのＺ方向の長さは、鏡部５のＺ方向の長さよりも長い。引出穴８ｂの周方向の幅は、鏡部５の厚みよりも大きい。これにより、引出穴８ｂから芯部２に巻かれている鏡部５を引き出すことができる。
【００８４】
枠部材８の外周部の引出穴８ｂの近傍には、電極６１、６２が形成されている。電極６１、６２は、電源部６に接続されている。一方、鏡部５のＥＬバックライト４の表面には、電極６３、６４が形成されている。電極６３、６４は透明電極２２及び背面電極２５と接続されている。尚、電極６１、６２が、請求項に記載の第３電極に相当し、電極６３、６４が、請求項に記載の第４電極に相当する。
【００８５】
ここで、電極６１と電極６２との間のＺ方向の距離と、電極６３と電極６４との間のＺ方向の距離は、略等しい。また、引出穴８ｂが形成されている位置から電極６１、６２までの枠部材８の周方向の距離と、引出穴８ｂが形成されている位置から電極６３、６４までのＸ方向の距離は、略等しい。
【００８６】
次に、第４実施形態によるバックライト付き鏡１Ｃの動作を説明する。
【００８７】
まず、図１２に示す収容状態から、図１３に示すように枠部材８から鏡部５を引き出す。この状態で、枠部材８の周りで矢印Ｒ１方向に鏡部５を巻くことによって、電極６１と電極６３とが接続されるとともに、電極６２と電極６４とが接続される。この結果、ＥＬバックライト４と電源部６とが接続され、ＥＬバックライト４を発光させることができる。
【００８８】
上述したように第４実施形態によるバックライト付き鏡１Ｃは、枠部材８を備えているので、鏡部５の破損を抑制することができる。
【００８９】
また、バックライト付き鏡１Ｃは、電極６１、６２及び電極６３、６４を設けることによって、操作性を向上させることができる。
【００９０】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００９１】
上述した実施形態の形状、数値、材料等は適宜変更可能である。また、各実施形態を異なる実施形態と組み合わせることも可能である。
【００９２】
上述した実施形態では、バックライトを無機ＥＬバックライトにより構成したが、有機ＥＬバックライトや半導体ＬＥＤ等を適用してもよい。また、直流電力により発光可能なバックライトの場合は、回路部を簡略化することができる。
【００９３】
また、ＥＬバックライトの基材と芯部とを同じ樹脂で一体的に構成してもよい。
【００９４】
また、上述した実施形態では、巻取バネによって、鏡部の自動巻取を可能に構成したがモータやゼンマイバネ等によって自動巻取を可能に構成してもよい。
【００９５】
また、上述した実施形態では、模様を形成するために、発光層をパターニングしたが、背面電極や透明電極を所望の模様にあわせてパターニングしてもよい。また、一部の領域が周りよりも暗くなるように、明暗の差によって模様を形成してもよい。  
【符号の説明】
【００９６】
１、１Ａ、１Ｂ、１Ｃ バックライト付き鏡
２、２Ｂ      芯部
３     反射膜
４     ＥＬバックライト
５     鏡部
６     電源部
７     把持部
８     枠部材
８ａ   空間
８ｂ   引出穴
１２   仕切り壁
１３   上部収納部
１４   下部収納部
１５   蓋部材
２１   基材
２２   透明電極
２３   発光層
２４   誘電体層
２５   背面電極
２６   保護層
３１   回路部
３２   電池
３３   スイッチ
３７   模様
４１、４２、４４、４５      電極
５１   内芯部
５２   円筒部
５３   巻取バネ
５３ａ 一端
５３ｂ 他端
５４   ストッパー機構
５６   固定凸部
５７   位置決め凸部
６１、６２、６３、６４      電極
【図１】
2010243587.tif 000003
【図２】
2010243587.tif 000004
【図３】
2010243587.tif 000005
【図４】
2010243587.tif 000006
【図５】
2010243587.tif 000007
【図６】
2010243587.tif 000008
【図７】
2010243587.tif 000009
【図８】
2010243587.tif 000010
【図９】
2010243587.tif 000011
【図１０】
2010243587.tif 000012
【図１１】
2010243587.tif 000013
【図１２】
2010243587.tif 000014
【図１３】
2010243587.tif 000015